(57)【要約】【課題】水平ラインブロック間の輝度差を防止することができる液晶表示装置及びその製造方法並びにその駆動方法に関するものである。【解決手段】液晶セルマトリクスを持つ液晶パネルと、前記液晶パネルを駆動するための少なくとも一つの集積回路と、前記少なくとも一つの集積回路と共通に接続されて集積回路に駆動信号を供給する供給ラインと、前記供給ラインの入力段に形成されて供給ラインのライン抵抗の合計より大きい抵抗値を持つ信号減殺部を具備することを特徴とする。【選択図】図３
2004133474.tif 000002
【特許請求の範囲】
【請求項１】
　液晶セルマトリクスを持つ液晶パネルと、前記液晶パネルを駆動するために第１及び第２集積回路を含む少なくとも二つの集積回路と、前記少なくとも二つの集積回路と接続されて前記集積回路に駆動信号を供給する供給ラインと、前記供給ラインの入力段に形成されて前記供給ラインのライン抵抗の合計以上の抵抗値を持つ信号制限素子を具備することを特徴とする液晶表示装置。
【請求項２】
　前記信号制限素子は、約２７０〜８３０Ωの抵抗値を持つことを特徴とする請求項１記載の液晶表示装置。
【請求項３】
　前記供給ラインは、前記液晶パネルの上に形成されて、前記駆動信号を前記少なくとも二つの集積回路に供給する第１信号ラインと、前記液晶表示パネルの外郭領域に位置する第２信号ラインを含むことを特徴とする請求項１記載の液晶表示装置。
【請求項４】
　前記信号制限素子は、前記第１信号ライン上に形成されることを特徴とする請求項３記載の液晶表示装置。
【請求項５】
　前記液晶表示パネル上に形成される多数のゲートラインをさらに具備して、前記少なくとも二つの集積回路のそれぞれは、前記多数のゲートラインにゲート信号を供給するゲート駆動回路を含むことを特徴とする請求項３記載の液晶表示装置。
【請求項６】
　前記ゲート駆動回路には前記供給ラインを通してゲート信号のロー論理電圧が供給されることを特徴とする請求項５記載の液晶表示装置。
【請求項７】
　前記ゲート駆動回路には前記供給ラインを通してゲート信号のハイ論理電圧が供給されることを特徴とする請求項５記載の液晶表示装置。
【請求項８】
　データ駆動回路からのデータ信号を供給するために前記液晶パネル上に形成された多数のデータラインと、前記データ駆動回路を持つそれぞれのデータテープキャリアパッケージと、前記第１及び第２集積回路に対応されて前記ゲート駆動回路をそれぞれ持つ少なくとも二つのゲートテープキャリアパッケージと、前記データテープキャリアパッケージと連結された印刷回路基板をさらに具備することを特徴とする請求項５記載の液晶表示装置。
【請求項９】
　前記印刷回路基板上に形成されて前記ゲート駆動回路及びデータ駆動回路を制御するための駆動タイミング制御信号を生成して、前記供給ラインに供給するタイミングコントローラーと、前記印刷回路基板上に形成されて前記ゲート集積回路及びデータ集積回路に供給される駆動電圧を生成して前記供給ラインに供給する電源供給部をさらに具備することを特徴とする請求項８記載の液晶表示装置。
【請求項１０】
　前記タイミングコントローラー及び電源供給部の中から少なくともいずれか一つで生成されたゲート信号は前記データテープキャリアパッケージを通して前記少なくとも二つのゲート集積回路に供給されることを特徴とする請求項９記載の液晶表示装置。
【請求項１１】
　前記信号制限素子は、前記タイミングコントローラーに内装されることを特徴とする請求項９記載の液晶表示装置。
【請求項１２】
　前記信号制限素子は、前記電源供給部に内装されることを特徴とする請求項９記載の液晶表示装置。
【請求項１３】
　前記ゲート集積回路には前記供給ラインを通して前記駆動タイミング制御信号が供給されることを特徴とする請求項９記載の液晶表示装置。
【請求項１４】
　前記信号制限素子は、前記印刷回路基板に位置する前記第２信号ライン上に形成されることを特徴とする請求項８記載の液晶表示装置。
【請求項１５】
　前記信号制限素子は、前記データテープキャリアパッケージに位置する前記第２信号ライン上に形成されることを特徴とする請求項８記載の液晶表示装置。
【請求項１６】
　前記二つのゲートテープキャリアパッケージのそれぞれに形成される信号制限部をさらに具備することを特徴とする請求項８記載の液晶表示装置。
【請求項１７】
　前記信号制限素子は、電流制限部を含むことを特徴とする請求項１記載の液晶表示装置。
【請求項１８】
　前記信号制限素子は、抵抗を含む持つことを特徴とする請求項１記載の液晶表示装置。
【請求項１９】
　前記信号制限素子は、水平ラインブロック間の明るさの差を防止するに十分な抵抗であることを特徴とする請求項１記載の液晶表示装置。
【請求項２０】
　前記供給ラインは、前記少なくとも二つの集積回路に前記駆動信号を共通で供給するために液晶表示パネル上に形成されたラインオンガラス型信号ラインと、前記ラインオンガラス型信号ラインに前記駆動信号を供給する信号伝送ラインを含むことを特徴とする請求項１記載の液晶表示装置。
【請求項２１】
　前記液晶表示パネル上に形成される多数のゲートラインをさらに具備して、前記少なくとも二つの集積回路のそれぞれは前記多数のゲートラインにゲート信号を供給するゲート駆動回路を含むことを特徴とする請求項２０記載の液晶表示装置。
【請求項２２】
　データ駆動回路からのデータ信号を供給するために前記液晶パネル上に形成された多数のデータラインと、前記データ駆動回路が実装されたデータテープキャリアパッケージと、前記ゲート駆動回路が実装されたゲートテープキャリアパッケージと、前記データテープキャリアパッケージと連結された印刷回路基板をさらに具備することを特徴とする請求項２１記載の液晶表示装置。
【請求項２３】
　前記印刷回路基板上に形成されて前記ゲート駆動回路及びデータ駆動回路を制御するための駆動タイミング制御信号を生成して前記供給ラインに供給するタイミングコントローラーと、前記印刷回路基板上に形成されて前記ゲート集積回路及びデータ集積回路に供給される駆動電圧を生成して前記供給ラインに供給する電源供給部をさらに具備することを特徴とする請求項２２記載の液晶表示装置。
【請求項２４】
　前記タイミングコントローラー及び電源供給部の中から少なくともいずれか一つで生成されたゲート信号は前記データテープキャリアパッケージを通して前記少なくとも二つのゲート集積回路に供給されることを特徴とする請求項２３記載の液晶表示装置。
【請求項２５】
　前記信号制限素子は前記印刷回路基板に位置する前記信号伝送ライン上に形成されることを特徴とする請求項２２記載の液晶表示装置。
【請求項２６】
　前記信号制限素子は前記データテープキャリアパッケージに位置する前記信号伝送ライン上に形成されることを特徴とする請求項２２記載の液晶表示装置。
【請求項２７】
　前記信号制限素子は前記ラインオンガラス型信号ライン上に形成されることを特徴とする請求項２０記載の液晶表示装置。
【請求項２８】
　前記信号制限素子は前記タイミングコントローラーに内蔵するように形成することを特徴とする請求項２３記載の液晶表示装置。
【請求項２９】
　前記信号制限素子は前記電源供給部に内蔵するように形成することを特徴とする請求項９記載の液晶表示装置。
【請求項３０】
　前記ゲート集積回路には前記供給ラインを通して前記駆動タイミング制御信号が供給されることを特徴とする請求項２３記載の液晶表示装置。
【請求項３１】
　液晶セルマトリクスを持つ液晶パネルを形成する段階と、前記液晶表示パネルを駆動するための第１及び第２集積回路を含む少なくとも二つの集積回路を用意する段階と、前記供給ラインの入力段に形成されて前記供給ラインのライン抵抗合計以上の抵抗値を持つ信号制限素子を含み、前記集積回路に駆動信号を供給するために少なくとも二つの集積回路と接続される供給ラインを形成する段階を含むことを特徴とする液晶表示装置の製造方法。
【請求項３２】
　第１及び第２集積回路を含む少なくとも一つの集積回路に供給ラインを通して供給される駆動信号の電流成分を前記供給ラインの入力段に形成されて前記供給ラインのライン抵抗合計以上の抵抗値を持つ信号制限素子で制限する段階と、前記少なくとも二つの集積回路に供給された駆動信号を利用して液晶パネルを駆動する段階を含むことを特徴とする液晶表示装置の駆動方法。
【請求項３３】
　前記少なくとも二つの集積回路に前記駆動信号を供給する段階は前記液晶パネルのゲートラインを駆動するゲート駆動信号のロー論理電圧及びハイ論理電圧の中から少なくともいずれか一つを供給する段階であることを特徴とする請求項３２記載の液晶表示装置の駆動方法。
【請求項３４】
　前記少なくとも二つの集積回路に前記駆動信号を供給する段階は前記液晶パネルのゲートラインの駆動を制御するためのタイミング駆動制御信号を前記少なくとも二つの集積回路に供給する段階であることを特徴とする請求項３２記載の液晶表示装置の駆動方法。
【請求項３５】
　透明基板を含む液晶パネルと、前記透明基板の一側に隣接されるように形成された第１及び第２テープキャリアパッケージと、前記液晶パネルを駆動するために第１及び第２テープキャリアパッケージのそれぞれの上に形成された第１及び第２ゲート駆動回路と、印刷回路基板と、前記印刷回路から前記表示領域の第１及び第２領域とそれぞれ対応される第１及び第２ゲート駆動回路に駆動信号を供給して、前記第１及び第２ゲート駆動回路の間の前記透明基板上に形成されて所定のライン抵抗を持つ信号ラインと、前記駆動信号の電流成分を制限するために前記第１ゲート駆動回路と接続された前記信号ラインの入力段に形成されて前記所定のライン抵抗以上の抵抗値を持つ少なくとも一つの電流制限素子を具備することを特徴とする液晶表示装置。
【請求項３６】
　基板を含む液晶パネルと、前記液晶パネルを駆動するための第１及び第２集積回路と、印刷回路基板と、前記印刷回路から前記表示領域の第１及び第２領域とそれぞれ対応される第１及び第２ゲート駆動回路に駆動信号を供給して、前記第１及び第２ゲート駆動回路の間の前記透明基板上に形成されて所定のライン抵抗を持つ信号ラインと、前記駆動信号の電流成分を制限するために前記信号ライン上に形成されて前記所定のライン抵抗以上の抵抗値を持つ少なくとも一つの電流制限素子を具備することを特徴とする液晶表示装置。
【請求項３７】
　前記基板は透明基板であることを特徴とする請求項３６記載の液晶表示装置。
【請求項３８】
　前記基板はガラス及びプラスチックの中から少なくともいずれか一つを含むことを特徴とする請求項３６記載の液晶表示装置。
【請求項３９】
　前記駆動信号はタイミングコントローラーからの制御信号を含むことを特徴とする請求項３６記載の液晶表示装置。
【請求項４０】
　前記駆動信号は電源供給部からの電源信号を含むことを特徴とする請求項３６記載の液晶表示装置。
【請求項４１】
　前記電源電圧はロー論理のゲート電圧とハイ論理のゲート電圧を含むことを特徴とする請求項４０記載の液晶表示装置。
【請求項４２】
　前記電流制限素子は前記印刷回路基板上に位置することを特徴とする請求項３６記載の液晶表示装置。
【請求項４３】
　前記電流制限素子は前記印刷回路基板の外部に位置することを特徴とする請求項３６記載の液晶表示装置。
【請求項４４】
　前記電流制限素子の抵抗は前記表示領域の第１及び第２領域の間の横線が実質的に見えないようにする抵抗値を持つことを特徴とする請求項３６記載の液晶表示装置。
【請求項４５】
　前記電流制限素子の抵抗は前記表示領域の第１及び第２領域の間の横線が完全に見えないようにする抵抗値を持つことを特徴とする請求項３６記載の液晶表示装置。
【請求項４６】
　前記電流制限素子の抵抗は前記表示領域の第１及び第２領域の間の横線の発生を防止させる抵抗値を持つことを特徴とする請求項３６記載の液晶表示装置。
【請求項４７】
　前記第１及び第２集積回路と直列に接続されて前記表示領域の第３領域と対応される第３集積回路をさらに具備して、前記信号ラインは所定の第２ライン抵抗を持ち前記第２及び第３集積回路の間に位置して前記少なくとも一つの電流制限素子は前記第１及び第２集積回路の間の信号ラインに含まれたライン抵抗と前記第２ライン抵抗の合計以上の抵抗値を持つことを特徴とする請求項３６記載の液晶表示装置。
【請求項４８】
　前記電流制限素子の抵抗は前記表示領域の第１及び第２ブロック間の第１横線と前記第２及び第３ブロック間の第２横線が充分に見えないようにする抵抗値を持つことを特徴とする請求項４７記載の液晶表示装置。
【請求項４９】
　前記電流制限素子の抵抗は前記表示領域の第１及び第２ブロック間の第１横線と前記第２及び第３ブロック間の第２横線が完全に見えないようにする抵抗値を持つことを特徴とする請求項４７記載の液晶表示装置。
【請求項５０】
　前記表示領域のブロックのそれぞれに対応されて前記表示領域の大きさと開口率により必要なだけの集積回路をさらに具備することを特徴とする請求項４７記載の液晶表示装置。
【請求項５１】
　前記第１及び第２集積回路は互いに直列に接続されることを特徴とする請求項３６記載の液晶表示装置。
【請求項５２】
　前記第１及び第２集積回路は前記表示パネルに電圧を供給して、前記第１及び第２集積回路により前記表示パネルに供給された電圧は同一であることを特徴とする請求項３６記載の液晶表示装置。
【請求項５３】
　第２信号ラインをさらに具備することを特徴とする請求項３６記載の液晶表示装置。
【請求項５４】
　前記信号ラインは基板と直接接触されることを特徴とする請求項３６記載の液晶表示装置。
【請求項５５】
　前記印刷回路基板は前記テープキャリアパッケージにより表示パネルから離れて位置することを特徴とする請求項３６記載の液晶表示装置。
【請求項５６】
　前記少なくとも一つの電流制限素子は前記テープキャリアパッケージ上に形成されることを特徴とする請求項５５記載の液晶表示装置。
【請求項５７】
　前記表示パネルは前記テープキャリアパッケージと連結される第１側面と前記第１及び第２集積回路と連結される第２側面を含むことを特徴とする請求項５５記載の液晶表示装置。
【請求項５８】
　前記駆動信号を生成するタイミングコントローラーをさらに具備することを特徴とする請求項３６記載の液晶表示装置。
【請求項５９】
　前記駆動信号はタイミング制御信号を含むことを特徴とする請求項５８記載の液晶表示装置。
【請求項６０】
　前記電流制限素子は約２７０〜８３０Ωの抵抗値を持つことを特徴とする請求項３６記載の液晶表示装置。
【請求項６１】
　前記電流制限素子は約４３０〜７６０Ωの抵抗値を持つことを特徴とする請求項３６記載の液晶表示装置。
【発明の詳細な説明】
【技術分野】
【０００１】
　本発明は液晶表示装置に関わり、特に、水平ラインブロック間の輝度差を防止することができる液晶表示装置及びその製造方法並びにその駆動方法に関するものである。
【背景技術】
【０００２】
　通常の液晶表示装置（Liquid Crystal Display：以下"ＬＣＤ"と言う）は電界を利用して液晶の光透過率を調節することで画像を表示するようになる。このために、液晶表示装置は液晶セルがマトリクス状に配列された液晶パネルと、この液晶パネルを駆動するための駆動回路とを具備する。
【０００３】
　液晶パネルにはゲートラインとデータラインが交差するように配列されて、そのゲートラインとデータラインとが交差する領域に液晶セルが位置するようになる。この液晶パネルには液晶セルのそれぞれに電界を印加するための画素電極と共通電極が備えられる。画素電極のそれぞれはスイッチング素子である薄膜トランジスタ（Thin Film Transistor）のソース及びドレイン端子を経由してデータラインの中からいずれかに接続される。薄膜トランジスタのゲート端子は画素電圧信号が１ライン分毎の画素電極に印加されるようにするゲートラインの中からいずれかに接続される。
【０００４】
　駆動回路はゲートラインを駆動するためのゲートドライバーと、データラインを駆動するためのデータドライバーと、ゲートドライバーとデータドライバーを制御するためのタイミングコントローラーと、液晶表示装置で使われる各種の駆動電圧を供給する電源供給部を具備する。タイミングコントローラーは、ゲートドライバー及びデータドライバーの駆動タイミングを制御すると共にデータドライバーに画素データ信号を供給する。
【０００５】
　電源供給部は、入力電源を利用して液晶表示装置で必要とする共通電圧ＶＣＯＭ、ゲートハイ電圧ＶＧＨ、ゲートロー電圧ＶＧＬのような駆動電圧を生成する。ゲートドライバーは、スキャニング信号をゲートラインに順次供給して液晶パネル上の液晶セルを１ライン分ずつ順次駆動する。データドライバーは、ゲートラインの中からいずれかにスキャニング信号が供給される度にデータラインのそれぞれに画素電圧信号を供給する。これにより、液晶表示装置は、液晶セル毎画素電圧信号により画素電極と共通電極との間に印加される電界により光透過率を調節することで画像を表示する。
【０００６】
　これらの中で液晶パネルと直接接続されるデータドライバーとゲートドライバーは多数のＩＣ（Integrated Circuit）に集積化される。集積化されたデータドライブＩＣとゲートドライブＩＣのそれぞれはＴＣＰ（Tape Carrier Package）の上に実装されてＴＡＢ（Tape Automated Bonding）方式で液晶パネルに接続されたりＣＯＧ（Chip On Glass）方式で液晶パネルの上に実装されたりする。
【０００７】
　ここで、ＴＣＰを通してＴＡＢ方式で液晶パネルに接続されるドライブＩＣは、ＴＣＰに接続されたＰＣＢ（Printed Circuit Board）に形成された信号ラインを通して外部から入力される制御信号及び駆動電圧が供給されると共に相互接続される。詳細に言うと、データドライブＩＣは、データＰＣＢに形成された信号ラインを通して直列に接続されると共に、タイミングコントローラーからの制御信号及び画素データ信号と、電源供給部からの駆動電圧が共通供給されるようになる。ゲートドライブＩＣは、ゲートＰＣＢに形成された信号ラインを通して直列に接続されると共に、タイミングコントローラーからの制御信号と、電源供給部からの駆動電圧が共通供給されるようになる。
【０００８】
　ＣＯＧ方式で液晶パネルに実装されるドライブＩＣは、信号ラインが液晶パネル、すなわち下部ガラスの上に実装されるラインオンガラス（Line On Glass；以下ＬＯＧという）方式で相互接続されると共にタイミングコントローラー及び電源供給部からの制御信号及び駆動電圧が供給されるようになる。
【０００９】
　最近では、ドライブＩＣがＴＡＢ方式で液晶パネルに接続される場合にもＬＯＧ方式を採択してＰＣＢを除去することで液晶表示装置をさらに薄形化することができるようにしている。特に、相対的に少ない信号ラインを要するゲートドライブＩＣに接続される信号ラインをＬＯＧ方式で液晶パネルの上に形成することでゲートＰＣＢを除去している。すなわち、ＴＡＢ方式のゲートドライブＩＣは、液晶パネルの下部ガラスの上に実装される信号ラインを通して直列に接続されると共に制御信号及び駆動電圧信号（以下、ゲート駆動信号と言う）が共通供給されるようになる。
【００１０】
　実際に、ＬＯＧ型信号ラインを利用してゲートＰＣＢを除去した液晶表示装置は、図１に示すように、液晶パネル１と、液晶パネル１とデータＰＣＢ１２の間に接続された多数個のデータＴＣＰ８と、液晶パネル１の他の側に接続された多数のゲートＴＣＰ１４と、データＴＣＰ８のそれぞれに実装されたデータドライブＩＣ１０と、ゲートＴＣＰ１４のそれぞれに実装されたゲートドライブＩＣ１６を具備する。
【００１１】
　液晶パネル１は、各種信号ラインと共に薄膜トランジスタアレイが形成された下部基板２と、カラーフィルターアレイが形成された上部基板４と、下部基板２と上部基板４との間に注入された液晶を含む。このような液晶パネル１には、ゲートライン２０とデータライン１８の交差領域毎に備えられる液晶セルで構成されて画像を表示する画像表示領域２１が備えられる。
【００１２】
　画像表示領域２１の外郭部に位置する下部基板２の外郭領域にはデータライン１８から伸張されたデータパッドと、ゲートライン２０から伸張されたゲートパッドが位置するようになる。また、下部基板２の外郭領域にはゲートドライブＩＣ１６に供給されるゲート駆動信号を送るためのＬＯＧ型信号ライン群２６が位置するようになる。
【００１３】
　データＴＣＰ８には、データドライブＩＣ１０が実装されて、そのデータドライブＩＣ１０と電気的に接続された入力パッド２４と出力パッド２５が形成される。データＴＣＰ８の入力パッド２４は、データＰＣＢ１２の出力パッドと電気的に接続され、出力パッド２５は、下部基板２上のデータパッドと電気的に接続される。
【００１４】
　特に、一番目のデータＴＣＰ８は下部基板２上のＬＯＧ型信号ライン群２６に電気的に接続されるゲート駆動信号伝送ライン群２２が追加形成される。このゲート駆動信号、伝送ライン群２２は、データＰＣＢ１２を経由してタイミングコントローラー及び電源供給部から供給されるゲート駆動信号をＬＯＧ型信号ライン群２６に供給するようになる。
【００１５】
　データドライブＩＣ１０は、デジタル信号である画素データ信号をアナログ信号である画素電圧信号に変換して液晶パネル上のデータライン１８に供給する。
【００１６】
　ゲートＴＣＰ１４には、ゲートドライブＩＣ１６が実装されて、そのゲートドライブＩＣ１６と電気的に接続されたゲート駆動信号伝送ライン群２８及び出力パッド３０が形成される。ゲート駆動信号伝送ライン群２８は、下部基板２上のＬＯＧ型信号ライン群２６と電気的に接続され、出力パッド３０は下部基板２上のゲートパッドと電気的に接続される。
【００１７】
　ゲートドライブＩＣ１６は入力制御信号に応答してスキャニング信号、すなわちゲートハイ電圧ＶＧＨをゲートライン２０に順次供給する。また、ゲートドライブＩＣ１６はゲートハイ電圧ＶＧＨが供給される期間を除いた残り期間にゲートロー電圧ＶＧＬをゲートライン２０に供給する。
【００１８】
　ＬＯＧ型信号ライン群２６は、通常、ゲート信号のハイ論理電圧（ゲートハイ電圧）ＶＧＨ、ゲート信号のロー論理電圧（ゲートロー電圧）ＶＧＬ、共通電圧ＶＣＯＭ、グラウンド電圧信号ＧＮＤ、電源電圧ＶＣＣのような電源供給部から供給される駆動電圧信号と、ゲートスタートパルスＧＳＰ、ゲートシフトクロック信号ＧＳＣ、ゲートイネーブル信号ＧＯＥのようなタイミングコントローラーから供給されるゲート制御信号のそれぞれを供給する信号ラインで構成される。
【００１９】
　このようなＬＯＧ型信号ライン群２６は、画像表示部２１の外郭領域に位置するパッド部のように非常に限定された狭い空間で微細パターンで並んで形成される。そして、ＬＯＧ型信号ライン群２６は、ゲートライン２０と同一のゲート金属で構成される。ゲート金属としては、通常、ＡｌＮｄのように比較的に大きい比抵抗値（０．０４６）を持つ金属が利用される。
【００２０】
　このように、ＬＯＧ型信号ライン群２６が制限された領域内で微細パターンに形成されると共に比較的に大きい比抵抗値を持つゲート金属で構成されるにことにより、既存のゲートＰＣＢに銅薄で形成された信号ラインと対比して相対的に高い抵抗成分を含むようになる。また、ＬＯＧ型信号ライン群２６の抵抗値は、ラインの長さに比例することにより、データＰＣＢ１２から遠くなるほどライン抵抗値が増加してゲート駆動信号が減殺するようになる。この結果、ＬＯＧ型信号ライン群２６を通して伝送されるゲート駆動信号がそのライン抵抗値によりゆがめられることで画像表示部２１に表示される画像の品質が低下されるようになる。
【００２１】
　これを詳細に言うと、従来の液晶表示装置は、ゲートロー電圧ＶＧＬ及びゲートハイ電圧ＶＧＨをそれぞれ供給するＬＯＧ型信号ラインＬＶＧのそれぞれが図２に図示したように第１データＴＣＰ８と第１及至第３ゲートＴＣＰ（１４Ａ乃至１４Ｃ）の間のそれぞれに接続される第１乃至第３ＬＯＧ型信号ラインＬＶＧ１乃至ＬＶＧ３で構成される。第１及至第３ＬＯＧ型信号ラインＬＶＧ１乃至ＬＶＧ３は、そのラインの長さに比例するライン抵抗値Ａ、Ｂ、Ｃを持ち、第１及至第３ゲートＴＣＰ（１４Ａ乃至１４Ｃ）を経由して直列で連結される。
【００２２】
　すなわち、第１ゲートＴＣＰ１４Ａに実装されたゲートドライブＩＣ１６には、第１ＬＯＧ型信号ラインＬＶＧ１の第１ライン抵抗値Ａに比例して電圧降下されたゲートハイ電圧ＶＧＨ及びゲートロー電圧ＶＧＬを含む第１ゲート電圧ＶＧ１が供給される。第１ゲート電圧ＶＧ１は、第１ゲートドライブＩＣ１６を通して第１水平ラインブロックＡのゲートラインに供給される。
【００２３】
　第２ゲートＴＣＰ１４Ｂに実装されたゲートドライブＩＣ１６には、直列接続された第１ＬＯＧ型信号ラインＬＶＧ１及び第２ＬＯＧ型信号ラインＬＶＧ２の第２ライン抵抗値（ａ＋ｂ）に比例して電圧降下されたゲートハイ電圧ＶＧＨ及びゲートロー電圧ＶＧＬを含む第２ゲート電圧ＶＧ２が供給される。第２ゲート電圧ＶＧ２は、第２ゲートドライブＩＣ１６を通して第２水平ラインブロックＢのゲートラインに供給される。
【００２４】
　第３ゲートＴＣＰ１４Ｃに実装されたゲートドライブＩＣ１６には、直列接続された第１ＬＯＧ型信号ライン乃至第３ＬＯＧ型信号ラインＬＶＧ１乃至ＬＶＧ３の第３ライン抵抗値（ａ＋ｂ＋ｃ）に比例して電圧降下されたゲートハイ電圧ＶＧＨ及びゲートロー電圧ＶＧＬを含む第３ゲート電圧ＶＧ３が供給される。第３ゲート電圧ＶＧＬ３は、第３ゲートドライブＩＣ１６を通して第３水平ラインブロックＣのゲートラインに供給される。
【００２５】
　このように、ゲートドライブＩＣ１６毎ゲートラインに供給するゲート電圧ＶＧ１乃至ＶＧ３に差が発生することにより、互いに異なるゲートドライブＩＣ１６に接続される水平ラインブロックＡ乃至Ｃ間に輝度差が発生するようになる。この水平ラインブロックＡ乃至Ｃの輝度差は、水平線６のように明らかになり、画面が分割されたように見えるようになることで画質低下をもたらす。
【００２６】
　特に、第１ゲートドライブＩＣから第３ゲートドライブＩＣの方へ進行するほどＬＯＧ型信号ラインＬＶＧのライン抵抗値Ａ、Ｂ、Ｃが加算されることにより、水平ラインブロックＡ乃至Ｃに供給される第１乃至第３ゲート電圧ＶＧ１乃至ＶＧ３は、ＶＧ１＞ＶＧ２＞ＶＧ３のような関係を持つようになる。
【００２７】
　このようなゲートドライブＩＣ１６単位のゲート電圧の差は、ゲートドライブＩＣ１６のそれぞれに独立的に接続される多数のＬＯＧ型ゲート電圧伝送ラインを備えて、そのラインの断面積をラインの長さに反比例するように増加させる方法等を利用して補償することができる。しかし、ＬＯＧ型信号ライン群２６が形成される画像表示部２１の外郭領域は限定されているので、多数個のＬＯＧ型信号ラインを備えるのが難しいだけでなく断面積を増加させるのに限界がある。
【発明の開示】
【発明が解決しようとする課題】
【００２８】
　従って、制限された空間内に形成されるＬＯＧ型信号ライン群２６の設計変更なしにライン抵抗によるゲート電圧の差を補償することができる方案が必要である。
【００２９】
　本発明の目的は水平ラインブロックの間の輝度差を防止することができる液晶表示装置及びその製造方法並びにその駆動方法を提供することにある。
【課題を解決するための手段】
【００３０】
　前記の目的を達成するために、本発明に係る液晶表示装置は、液晶セルマトリクスを持つ液晶パネルと、前記液晶パネルを駆動するために第１及び第２集積回路を含む少なくとも二つの集積回路と、前記少なくとも二つの集積回路と接続されて前記集積回路に駆動信号を供給する供給ラインと、前記供給ラインの入力段に形成されて前記供給ラインのライン抵抗の合計以上の抵抗値を持つ信号制限素子を具備することを特徴とする。
【００３１】
　前記信号制限素子は約２７０〜８３０の抵抗値を持つことを特徴とする。
【００３２】
　前記供給ラインは、前記液晶パネルの上に形成されて、前記駆動信号を前記少なくとも二つの集積回路に供給する第１信号ラインと、前記液晶表示パネルの外郭領域に位置する第２信号ラインを含むことを特徴とする。
【００３３】
　前記信号制限素子は前記第１信号ライン上に形成されることを特徴とする。
【００３４】
　前記液晶表示パネル上に形成される多数のゲートラインをさらに具備して、前記少なくとも二つの集積回路のそれぞれは前記多数のゲートラインにゲート信号を供給するゲート駆動回路を含むことを特徴とする。
【００３５】
　前記ゲート駆動回路には前記供給ラインを通してゲート信号のロー論理電圧が供給されることを特徴とする。
【００３６】
　前記ゲート駆動回路には前記供給ラインを通してゲート信号のハイ論理電圧が供給されることを特徴とする。
【００３７】
　データ駆動回路からのデータ信号を供給するために前記液晶パネル上に形成された多数のデータラインと、前記データ駆動回路を持つそれぞれのデータテープキャリアパッケージと、前記第１及び第２集積回路に対応されて前記ゲート駆動回路をそれぞれ持つ少なくとも二つのゲートテープキャリアパッケージと、前記データテープキャリアパッケージと連結された印刷回路基板をさらに具備することを特徴とする。
【００３８】
　前記印刷回路基板上に形成されて前記ゲート駆動回路及びデータ駆動回路を制御するための駆動タイミング制御信号を生成して、前記供給ラインに供給するタイミングコントローラーと、前記印刷回路基板上に形成されて前記ゲート集積回路及びデータ集積回路に供給される駆動電圧を生成して前記供給ラインに供給する電源供給部をさらに具備することを特徴とする。
【００３９】
　前記タイミングコントローラー及び電源供給部の中から少なくともいずれか一つで生成されたゲート信号は前記データテープキャリアパッケージを通して前記少なくとも二つのゲート集積回路に供給されることを特徴とする。
【００４０】
　前記信号制限素子は前記タイミングコントローラーに内装されることを特徴とする。
【００４１】
　前記信号制限素子は前記電源供給部に内装されることを特徴とする。
【００４２】
　前記ゲート集積回路には前記供給ラインを通して前記駆動タイミング制御信号が供給されることを特徴とする。
【００４３】
　前記信号制限素子は前記印刷回路基板に位置する前記第２信号ライン上に形成されることを特徴とする。
【００４４】
　前記信号制限素子は前記データテープキャリアパッケージに位置する前記第２信号ライン上に形成されることを特徴とする。
【００４５】
　前記二つのゲートテープキャリアパッケージのそれぞれに形成される信号制限部をさらに具備することを特徴とする。
【００４６】
　前記信号制限素子は電流制限部を含むことを特徴とする。
【００４７】
　前記信号制限素子は抵抗を含む持つことを特徴とする。
【００４８】
　前記信号制限素子は水平ラインブロック間の明るさの差を防止するに十分な抵抗であることを特徴とする。
【００４９】
　前記供給ラインは前記少なくとも二つの集積回路に前記駆動信号を共通で供給するために液晶表示パネル上に形成されたラインオンガラス型信号ラインと、前記ラインオンガラス型信号ラインに前記駆動信号を供給する信号伝送ラインを含むことを特徴とする。
【００５０】
　前記液晶表示パネル上に形成される多数のゲートラインをさらに具備して、前記少なくとも二つの集積回路のそれぞれは前記多数のゲートラインにゲート信号を供給するゲート駆動回路を含むことを特徴とする。
【００５１】
　データ駆動回路からのデータ信号を供給するために前記液晶パネル上に形成された多数のデータラインと、前記データ駆動回路が実装されたデータテープキャリアパッケージと、前記ゲート駆動回路が実装されたゲートテープキャリアパッケージと、前記データテープキャリアパッケージと連結された印刷回路基板をさらに具備することを特徴とする。
【００５２】
　前記印刷回路基板上に形成されて前記ゲート駆動回路及びデータ駆動回路を制御するための駆動タイミング制御信号を生成して前記供給ラインに供給するタイミングコントローラーと、前記印刷回路基板上に形成されて前記ゲート集積回路及びデータ集積回路に供給される駆動電圧を生成して前記供給ラインに供給する電源供給部をさらに具備することを特徴とする。
【００５３】
　前記タイミングコントローラー及び電源供給部の中から少なくともいずれか一つで生成されたゲート信号は前記データテープキャリアパッケージを通して前記少なくとも二つのゲート集積回路に供給されることを特徴とする。
【００５４】
　前記信号制限素子は前記印刷回路基板に位置する前記信号伝送ライン上に形成されることを特徴とする。
【００５５】
　前記信号制限素子は前記データテープキャリアパッケージに位置する前記信号伝送ライン上に形成されることを特徴とする。
【００５６】
　前記信号制限素子は前記ラインオンガラス型信号ライン上に形成されることを特徴とする。
【００５７】
　前記信号制限素子は前記タイミングコントローラーに内蔵するように形成することを特徴とする。
【００５８】
　前記信号制限素子は前記電源供給部に内蔵するように形成することを特徴とする。
【００５９】
　前記ゲート集積回路には前記供給ラインを通して前記駆動タイミング制御信号が供給されることを特徴とする。
【００６０】
　本発明に係る液晶表示装置の製造方法は、液晶セルマトリクスを持つ液晶パネルを形成する段階と、前記液晶表示パネルを駆動するための第１及び第２集積回路を含む少なくとも二つの集積回路を用意する段階と、前記供給ラインの入力段に形成されて前記供給ラインのライン抵抗合計以上の抵抗値を持つ信号制限素子を含み、前記集積回路に駆動信号を供給するために少なくとも二つの集積回路と接続される供給ラインを形成する段階を含むことを特徴とする。
【００６１】
　本発明に係る液晶表示装置の駆動方法は、第１及び第２集積回路を含む少なくとも一つの集積回路に供給ラインを通して供給される駆動信号の電流成分を前記供給ラインの入力段に形成されて前記供給ラインのライン抵抗合計以上の抵抗値を持つ信号制限素子で制限する段階と、前記少なくとも二つの集積回路に供給された駆動信号を利用して液晶パネルを駆動する段階を含むことを特徴とする。
【００６２】
　前記少なくとも二つの集積回路に前記駆動信号を供給する段階は前記液晶パネルのゲートラインを駆動するゲート駆動信号のロー論理電圧及びハイ論理電圧の中から少なくともいれか一つを供給する段階であることを特徴とする。
【００６３】
　前記少なくとも二つの集積回路に前記駆動信号を供給する段階は前記液晶パネルのゲートラインの駆動を制御するためのタイミング駆動制御信号を前記少なくとも二つの集積回路に供給する段階であることを特徴とする。
【００６４】
　本発明に係る液晶表示装置は、透明基板を含む液晶パネルと、前記透明基板の一側に隣接されるように形成された第１及び第２テープキャリアパッケージと、前記液晶パネルを駆動するために第１及び第２テープキャリアパッケージのそれぞれの上に形成された第１及び第２ゲート駆動回路と、印刷回路基板と、前記印刷回路から前記表示領域の第１及び第２領域とそれぞれ対応される第１及び第２ゲート駆動回路に駆動信号を供給して、前記第１及び第２ゲート駆動回路の間の前記透明基板上に形成されて所定のライン抵抗を持つ信号ラインと、前記駆動信号の電流成分を制限するために前記第１ゲート駆動回路と接続された前記信号ラインの入力段に形成されて前記所定のライン抵抗以上の抵抗値を持つ少なくとも一つの電流制限素子を具備することを特徴とする。
【００６５】
　本発明に係る液晶表示装置は、基板を含む液晶パネルと、前記液晶パネルを駆動するための第１及び第２集積回路と、印刷回路基板と、前記印刷回路から前記表示領域の第１及び第２領域とそれぞれ対応される第１及び第２ゲート駆動回路に駆動信号を供給して、前記第１及び第２ゲート駆動回路の間の前記透明基板上に形成されて所定のライン抵抗を持つ信号ラインと、前記駆動信号の電流成分を制限するために前記信号ライン上に形成されて前記所定のライン抵抗以上の抵抗値を持つ少なくとも一つの電流制限素子を具備することを特徴とする。
【００６６】
　前記基板は透明基板であることを特徴とする。
【００６７】
　前記基板はガラス及びプラスチックの中から少なくともいずれか一つを含むことを特徴とする。
【００６８】
　前記駆動信号はタイミングコントローラーからの制御信号を含むことを特徴とする。
【００６９】
　前記駆動信号は電源供給部からの電源信号を含むことを特徴とする。
【００７０】
　前記電源電圧はロー論理のゲート電圧とハイ論理のゲート電圧を含むことを特徴とする。
【００７１】
　前記電流制限素子は前記印刷回路基板上に位置することを特徴とする。
【００７２】
　前記電流制限素子は前記印刷回路基板の外部に位置することを特徴とする。
【００７３】
　前記電流制限素子の抵抗は前記表示領域の第１及び第２領域の間の横線が実質的に見えないようにする抵抗値を持つことを特徴とする。
【００７４】
　前記電流制限素子の抵抗は前記表示領域の第１及び第２領域の間の横線が完全に見えないようにする抵抗値を持つことを特徴とする。
【００７５】
　前記電流制限素子の抵抗は前記表示領域の第１及び第２領域の間の横線の発生を防止させる抵抗値を持つことを特徴とする。
【００７６】
　前記第１及び第２集積回路と直列に接続されて前記表示領域の第３領域と対応される第３集積回路をさらに具備して、前記信号ラインは所定の第２ライン抵抗を持ち前記第２及び第３集積回路の間に位置して前記少なくとも一つの電流制限素子は前記第１及び第２集積回路の間の信号ラインに含まれたライン抵抗と前記第２ライン抵抗の合計以上の抵抗値を持つことを特徴とする。
【００７７】
　前記電流制限素子の抵抗は前記表示領域の第１及び第２ブロック間の第１横線と前記第２及び第３ブロック間の第２横線が充分に見えないようにする抵抗値を持つことを特徴とする。
【００７８】
　前記電流制限素子の抵抗は前記表示領域の第１及び第２ブロック間の第１横線と前記第２及び第３ブロック間の第２横線が完全に見えないようにする抵抗値を持つことを特徴とする。
【００７９】
　前記表示領域のブロックのそれぞれに対応されて前記表示領域の大きさと開口率により必要なだけの集積回路をさらに具備することを特徴とする。
【００８０】
　前記第１及び第２集積回路は互いに直列に接続されることを特徴とする。
【００８１】
　前記第１及び第２集積回路は前記表示パネルに電圧を供給して、前記第１及び第２集積回路により前記表示パネルに供給された電圧は同一であることを特徴とする。
【００８２】
　第２信号ラインをさらに具備することを特徴とする。
【００８３】
　前記信号ラインは基板と直接接触されることを特徴とする。
【００８４】
　前記印刷回路基板は前記テープキャリアパッケージにより表示パネルから離れて位置することを特徴とする。
【００８５】
　前記少なくとも一つの電流制限素子は前記テープキャリアパッケージ上に形成されることを特徴とする。
【００８６】
　前記表示パネルは前記テープキャリアパッケージと連結される第１側面と前記第１及び第２集積回路と連結される第２側面を含むことを特徴とする。
【００８７】
　前記駆動信号を生成するタイミングコントローラーをさらに具備することを特徴とする。
【００８８】
　前記駆動信号はタイミング制御信号を含むことを特徴とする。
【００８９】
　前記電流制限素子は約２７０〜８３０Ωの抵抗値を持つことを特徴とする。
【００９０】
　前記電流制限素子は約４３０〜７６０Ωの抵抗値を持つことを特徴とする。
【発明の効果】
【００９１】
　本発明に係る液晶表示装置及びその製造方法並びにその駆動方法は、ＬＯＧ型信号ラインの入力段にＬＯＧ型信号ライン群のライン抵抗の合計より相対的に大きい制限抵抗を形成することにより、水平ラインブロック間の輝度の差を防止するようになる。
【発明を実施するための最良の形態】
【００９２】
第１の実施の形態
　以下、図３乃至図１５を参照して本発明の好ましい実施の形態に対して説明する。図３は本発明の第１の実施の形態による液晶表示装置を示す図面である。図３を参照すると、本発明の第１の実施の形態による液晶表示装置は、液晶パネル３４と、液晶パネル３４とデータＰＣＢ４４との間に接続された多数個のデータＴＣＰ４０と、液晶パネル３４の他の側に接続された多数個のゲートＴＣＰ４６Ａ乃至４６Ｃと、データＴＣＰ４０のそれぞれに実装されたデータドライブＩＣ４２と、ゲートＴＣＰ４６Ａ乃至４６Ｃのそれぞれに実装されたゲートドライブＩＣ４８Ａ乃至４８Ｃと、ゲートドライブＩＣ４８とデータドライブＩＣ４２に供給される駆動電圧を生成する電源供給部５０と、ゲートドライブＩＣ４８とデータドライブＩＣ４２を制御するためのタイミングコントローラー６０を具備する。
【００９３】
　液晶パネル３４は、各種信号ラインとともに薄膜トランジスタアレイが形成された下部基板３６と、カラーフィルターアレイが形成された上部基板３８と、下部基板３６と上部基板３８との間に注入された液晶を含む。このような液晶パネル３４は、ゲートライン５６とデータライン（図示しない）の交差領域毎に形成された液晶セルにより画像表示領域４１に画像を表示する。画像表示領域４１の外郭部に位置する下部基板３６の外郭領域には、データラインから伸張されたデータパッドと、ゲートライン５６から伸張されたゲートパッドが位置するようになる。また、下部基板３６の外郭領域には、ゲートドライブＩＣ４８Ａ乃至４８Ｃに供給されるゲート駆動信号を伝達るためのＬＯＧ型信号ライン群ＬＯＧＣ、ＬＯＧＶが位置するようになる。
【００９４】
　データＴＣＰ４０には、データドライブＩＣ４２が実装され、そのデータＴＣＰ４０は、データドライブＩＣ４２と接続される入出力パッドを通してデータＰＣＢ４４の出力パッド及び下部基板３６のデータパッドと接続される。特に、一番目のデータＴＣＰ４０は下部基板３６の上のＬＯＧ型信号ライン群ＬＯＧＣ、ＬＯＧＶにそれぞれ接続されるゲート駆動信号伝送ライン群５２ａ、５２ｂをさらに具備する。このゲート駆動信号伝送ライン群５２ａ、５２ｂは、それぞれデータ ＰＣＢ４４を経由して電源供給部５０及びタイミングコントローラー６０から供給されるゲート駆動信号をＬＯＧ型信号ライン群ＬＯＧＣ、ＬＯＧＶに供給するようになる。
【００９５】
　タイミングコントローラー６０は、ゲートドライブＩＣ４８及びデータドライブＩＣ４２の駆動タイミングを制御すると共にデータドライブＩＣ４２に画素データ信号を供給する。
【００９６】
　電源供給部５０は、入力電源を利用して液晶表示装置で要する共通電圧ＶＣＯＭ、ゲートハイ電圧ＶＧＨ、ゲートロー電圧ＶＧＬ等のような駆動電圧を生成するようになる。
【００９７】
　データドライブＩＣ４２は、デジタル信号である画素データ信号をアナログ信号である画素電圧信号に変換して液晶パネル３４の上のデータラインに供給する。
【００９８】
　ゲートＴＣＰ４６Ａ乃至４６Ｃには、ゲートドライブＩＣ４８Ａ乃至４８Ｃが実装され、そのゲートＴＣＰ４６Ａ乃至４６Ｃは、ゲートドライブＩＣ４８Ａ乃至４８Ｃと接続される出力パッドを通して下部基板３６のゲートパッドと接続される。
【００９９】
　ゲートドライブＩＣ４８Ａ乃至４８Ｃは、入力制御信号に応答してスキャニング信号、すなわちゲートハイ電圧ＶＧＨをゲートライン５６に順次供給する。また、ゲートドライブＩＣ４８Ａ乃至４８Ｃは、ゲートハイ電圧ＶＧＨが供給される期間を除いた残りの期間にゲートロー電圧ＶＧＬをゲートライン５６に供給する。
【０１００】
　ＬＯＧ型信号ライン群ＬＯＧＣ、ＬＯＧＶは、通常、ゲートハイ電圧ＶＧＨ、ゲートロー電圧ＶＧＬ、共通電圧ＶＣＯＭ、グラウンド電圧ＧＮＤ、電源電圧ＶＣＣのような電源供給部５０から生成される駆動電圧信号を供給するＬＯＧ型電圧ラインＬＯＧＶと、ゲートスタートパルスＧＳＰ、ゲートシフトクロック信号ＧＳＣ、ゲートイネーブル信号ＧＯＥのようにタイミングコントローラーから生成されるゲート制御信号を供給するＬＯＧ型制御ラインＬＯＧＣで構成される。このようなＬＯＧ型信号ライン群ＬＯＧＣ、ＬＯＧＶは、ゲートライン５６と同一のゲート金属で構成される。
【０１０１】
　このＬＯＧ型信号ライン群ＬＯＧＣ、ＬＯＧＶの入力段には、相対的に抵抗値が大きい制限抵抗Ｒｓが形成される。この制限抵抗Ｒｓにより、ＬＯＧ型信号ライン群ＬＯＧＣ、ＬＯＧＶのライン抵抗Ａ、Ｂ、Ｃが無視されてライン抵抗によるゲートドライブＩＣ４８毎のゲート駆動信号の電圧差を防止することができるようになる。
【０１０２】
　このような制限抵抗Ｒｓは、図３に示すように、データＰＣＢ４４に位置するゲート駆動信号ライン５２ａ、５２ｂに直列接続される。また、制限抵抗Ｒｓは、データＴＣＰ４０に位置するゲート駆動信号ライン５２ａ、５２ｂに直列接続される。また、タイミングコントローラー６０のゲート駆動信号の出力段に直列接続されて内装されたり、電源供給部５０のゲート駆動信号の出力段に直列接続されて内装されたりする。また、制限抵抗Ｒｓは、図４に示すように、液晶パネル３４のＬＯＧ型信号ライン群ＬＯＧＣ、ＬＯＧＶの入力段、すなわち第１ＬＯＧ型信号ラインに直列に接続されるように形成される。
【０１０３】
　この制限抵抗Ｒｓは、図５に図示したように、ゲートＴＣＰ４６Ａ、４６Ｂ、４６Ｃの間に形成される第１乃至第３ＬＯＧ型信号ライン群のライン抵抗Ａ、Ｂ、Ｃと直列に連結されて、式（１）のように、ＬＯＧ型信号ライン群のライン抵抗（ａ、ｂ、ｃ）の合計（ａ＋ｂ＋ｃ）を無視することができるほどの大きい抵抗を持つようになる。例えば、制限抵抗Ｒｓは、約２７０〜８３０Ω程度の抵抗値を持つようにする。
【０１０４】
【数１】
2004133474.tif 000003
【０１０５】
　このような制限抵抗Ｒｓによりゲート駆動信号の電流量Ｉが制限されることで、この制限抵抗Ｒｓに直列接続されるＬＯＧ型信号ライン群ＬＯＧＣ、ＬＯＧＶを経由して各ゲートドライブＩＣ４８Ａ乃至４８Ｃに印加される電流量Ｉも次式（２）のように制限される。
【０１０６】
【数２】
2004133474.tif 000004
【０１０７】
　このような電流量の制限によりＬＯＧ型信号ライン群ＬＯＧＣ、ＬＯＧＶのライン抵抗Ａ、Ｂ、Ｃのゲート駆動信号の電圧成分Ｖａ、Ｖｂ、Ｖｃに及ぶ影響は無視するほどに減少される。これにより、式（３）のように、各ゲートドライブＩＣ４８Ａ、４８Ｂ、４８Ｃには略同一な電圧成分Ｖａ、Ｖｂ、Ｖｃを持つゲート駆動信号が印加される。
【０１０８】
【数３】
2004133474.tif 000005
【０１０９】
　このように、本発明の第１の実施の形態による液晶表示装置は、第１ゲートドライブＩＣ４８Ａのゲート駆動信号の入力段に形成される制限抵抗ＲｓによりＬＯＧ型信号ライン群ＬＯＧＣ、ＬＯＧＶのライン抵抗が無視するほどに小くなり、各ゲートドライブＩＣ４８Ａ、４８Ｂ、４８Ｃの入力段にかかる抵抗が等しくなるようになる。これにより、各ゲートドライブＩＣ４８Ａ、４８Ｂ、４８Ｃを経由して、同一なゲート駆動信号がゲートライン５６に供給されることにより水平ラインブロックＡ、Ｂ、Ｃの間の輝度差は防止される。
【０１１０】
第２の実施の形態
　図６は、本発明の第２の実施の形態による液晶表示装置を示す図面であり、ＬＯＧ型信号ライン群の中でゲートロー電圧を伝送するＬＯＧ型電圧ラインまたはゲート駆動信号ライン群の入力段に制限抵抗が設置された場合を図示したものである。
【０１１１】
　図６を参照すると、本発明の第２の実施の形態による液晶表示装置は、液晶パネル１３４と、液晶パネル１３４とデータＰＣＢ１４４との間に接続された多数個のデータＴＣＰ１４０と、液晶パネル１３４の他の側に接続された多数のゲートＴＣＰ１４６Ａ乃至１４６Ｃと、データＴＣＰ１４０のそれぞれに実装されたデータドライブＩＣ１４２と、ゲートＴＣＰ１４６Ａ乃至１４６Ｃのそれぞれに実装されたゲートドライブＩＣ１４８Ａ乃至１４８Ｃと、ゲートドライブＩＣ１４８とデータドライブＩＣ１４２に供給される駆動電圧信号を生成する電源供給部１５０と、電源供給部１５０に直列に接続される制限抵抗Ｒｓを具備する。
【０１１２】
　液晶パネル１３４は、各種信号ラインとともに薄膜トランジスタアレイが形成された下部基板１３６と、カラーフィルターアレイが形成された上部基板１３８と、下部基板１３６と上部基板１３８との間に注入された液晶を含む。このような液晶パネル１３４は、ゲートライン１５６とデータライン（図示しない）の交差領域毎に形成された液晶セルにより画像表示領域１４１に画像を表示する。下部基板１３６の外郭領域には、ゲートドライブＩＣ１４８Ａ乃至１４８Ｃに供給されるゲート駆動信号を伝送するためのＬＯＧ型信号ライン群が位置するようになる。
【０１１３】
　データＴＣＰ１４０には、データドライブＩＣ１４２が実装され、そのデータＴＣＰ１４０は、データＰＣＢ１４４及び下部基板１３６と接続される。特に、一番目のデータＴＣＰ１４０は、下部基板１３６の上のＬＯＧ型信号ライン群にそれぞれ接続されるゲート駆動信号ライン群１５２をさらに具備する。このゲート駆動信号ライン群１５２は、データＰＣＢ１４４を経由して電源供給部１５０から供給されるゲート駆動信号をＬＯＧ型信号ライン群に供給するようになる。
【０１１４】
　電源供給部１５０は、入力電源を利用して液晶表示装置で要する共通電圧ＶＣＯＭ、ゲートハイ電圧ＶＧＨ、ゲートロー電圧ＶＧＬ等のような駆動電圧を生成するようになる。
【０１１５】
　データドライブＩＣ１４２は、デジタル信号である画素データ信号をアナログ信号である画素電圧信号に変換して液晶パネル１３４の上のデータラインに供給する。
【０１１６】
　ゲートＴＣＰ１４６には、ゲートドライブＩＣ１４８が実装され、そのゲートＴＣＰ１４６は、ゲートドライブＩＣ１４８と接続される出力パッドを通して下部基板１３６と接続される。
【０１１７】
　ゲートドライブＩＣ１４８Ａ乃至１４８Ｃは、入力制御信号に応答してスキャニング信号、すなわちゲートハイ電圧ＶＧＨをゲートライン１５６に順次供給する。また、ゲートドライブＩＣ１４８Ａ乃至１４８Ｃは、ゲートハイ電圧ＶＧＨが供給される期間を除いた残りの期間にゲートロー電圧ＶＧＬをゲートライン１５６に供給する。
【０１１８】
　ＬＯＧ型信号ライン群は、通常、ゲートハイ電圧ＶＧＨ、ゲートロー電圧ＶＧＬ、共通電圧ＶＣＯＭ、グラウンド電圧ＧＮＤ、電源電圧ＶＣＣのような電源供給部１５０から生成される駆動電圧信号を供給するＬＯＧ型電圧ラインと、ゲートスタートパルスＧＳＰ、ゲートシフトクロック信号ＧＳＣ、ゲートイネーブル信号ＧＯＥのようなタイミングコントローラーから生成されるゲート制御信号のそれぞれを供給するＬＯＧ型制御ラインで構成される。このようなＬＯＧ型信号ライン群は、ゲートライン１５６と同一のゲート金属で構成される。
【０１１９】
　このようなＬＯＧ型信号ライン群の中から、画質に相対的に大きい影響を及ぼすゲートロー電圧ＶＧＬが供給されるＬＯＧ型電圧ラインＬＯＧＬの入力段または電源供給部１５０で生成されたゲートロー電圧ＶＧＬをＬＯＧ型電圧ラインＬＯＧＬに供給するためのゲート駆動信号ライン群１５２の入力段に相対的に大きい抵抗値を持つ制限抵抗Ｒｓを設置する。
【０１２０】
　すなわち、制限抵抗Ｒｓは、ゲートＴＣＰ１４６Ａ、１４６Ｂ、１４６Ｃの間に形成される第１乃至第３ＬＯＧ型電圧ラインＬＯＧＬ１乃至ＬＯＧＬ３のライン抵抗Ａ、Ｂ、Ｃと直列に連結されて、第１乃至第３ＬＯＧ型電圧ラインＬＯＧＬ１乃至ＬＯＧＬ３のライン抵抗（ａ、ｂ、ｃ）の合計（ａ＋ｂ＋ｃ）を無視することができるほどの大きい抵抗を持つようになる。例えば、制限抵抗Ｒｓは、約４３０〜７６０Ω程度の抵抗値を持つ。
【０１２１】
　これは、液晶セルに充電された電圧を安定に維持するストレージキャパシタに供給されるゲートロー電圧ＶＧＬが不安定になる場合、液晶セルに充電される電圧がゆがめられるためである。
【０１２２】
　このように、ゲートロー電圧ＶＧＬが供給されるＬＯＧ型電圧ラインＬＯＧＬまたはゲート駆動信号ライン群１５２の入力段に直列に設置される制限抵抗Ｒｓにより、第１乃至第３ＬＯＧ型電圧ラインＬＯＧＬ１乃至ＬＯＧＬ３のライン抵抗Ａ、Ｂ、Ｃは無視されるために、ライン抵抗Ａ、Ｂ、Ｃによる各ゲートドライブＩＣ１４８Ａ、１４８Ｂ、１４８Ｃに供給されるゲートロー電圧差が防止される。これにより、各ゲートドライブＩＣ１４８Ａ、１４８Ｂ、１４８Ｃを経由して同一なゲートロー電圧ＶＧＬがゲートライン１５６に供給されることにより、水平ラインブロックＡ、Ｂ、Ｃの間の輝度差は発生しないようになる。
【０１２３】
　一方、制限抵抗ＲｓによるゲートドライブＩＣ１４８毎のゲートロー電圧差の防止の効果は、図７Ａ及び図７Ｂのように、液晶パネルの画像表示部１４１をドットインバージョン方式で駆動しながら奇数番目のデータラインと偶数番目のデータラインに接続される液晶セルのそれぞれに相互に異なるグレイのテストパターンを供給する場合、著しく示される。
【０１２４】
　これを詳しく説明すると、第ｎ−１番目のゲートラインＧＬｎ−１にゲートハイ電圧ＶＧＨが供給されれば、図８及び図９に示すように、第ｍ−１番目のデータラインＤＬｍ−１と接続される液晶セルＣlｃには、共通電圧を基準で０グレイの正極性電圧８Ｖが供給されて、第ｍ番目のデータラインＤＬｍと接続される液晶セルＣlｃには、共通電圧を基準で６３グレイの負極性電圧３Ｖが供給される。
【０１２５】
　引き継いて、第ｎ−１番目のゲートラインＧＬｎ−１には、ゲートロー電圧ＶＧＬが供給されると共に、第ｎ番目のゲートラインＧＬｎには、ゲートハイ電圧ＶＧＨが供給されることにより、第ｍ−１番目のデータラインＤＬｍ−１と接続される液晶セルには、０グレイの負極性電圧０．３Ｖが供給されて、第ｍ番目のデータラインＤＬｍと接続される液晶セルには、６３グレイの正極性電圧５Ｖが供給される。
【０１２６】
　このように、第ｎ番目のゲートラインＧＬｎにはゲートハイ電圧ＶＧＨが供給される際に、第ｍ−１番目のデータラインＤＬｍ−１と接続される液晶セルに供給される０グレイの負極性電圧と、図１０に図示された第ｍ−１番目のデータラインＤＬｍ−１と以前のゲートラインＧＬｎ−１の間の寄生キャパシタＣｐに充電された電圧との差により、以前のゲートラインＧＬｎ−１に供給されるゲートロー電圧ＶＧＬが正極性から負極性の方にスイングするようになる。
【０１２７】
　このような第１乃至第３ゲートロー電圧ＶＧＬ１、ＶＧＬ２、ＶＧＬ３のスイング電圧は、ゲートロー電圧ＶＧＬを供給する第１乃至第３ＬＯＧ型電圧ラインＬＯＧＬ１乃至ＬＯＧ３のライン抵抗Ａ、Ｂ、Ｃに比例して増加するようになる。
【０１２８】
　このようなスイング電圧の増加は、制限抵抗Ｒｓにより抑制することができる。すなわち、ゲートロー電圧ＶＧＬが供給されるＬＯＧ型電圧ラインＬＯＧＬに直列接続される制限抵抗ＲｓによりＬＯＧ型電圧ラインＬＯＧＬのライン抵抗Ａ、Ｂ、Ｃが無視されるようにすることで、スイング電圧がＬＯＧ型電圧ラインＬＯＧＬのライン抵抗Ａ、Ｂ、Ｃに比例して増加することを防止することができるようになる。これにより、各ゲートドライブＩＣ１４８Ａ乃至１４８Ｃを経由して同一なゲートロー電圧ＶＧＬがゲートライン１５６に供給されることにより、水平ラインブロックＡ、Ｂ、Ｃの間の輝度差は防止される。
【０１２９】
第３の実施の形態
　図１１は、本発明の第３の実施の形態による液晶表示装置を示す図面であり、ＬＯＧ型信号ライン群の中でゲートハイ電圧を伝送するＬＯＧ型電圧ラインの入力段に制限抵抗が設置された場合を図示したものである。
【０１３０】
　図１１を参照すると、本発明の第３の実施の形態による液晶表示装置は、液晶パネル２３４と、液晶パネル２３４とデータＰＣＢ２４４との間に接続された多数個のデータＴＣＰ２４０と、液晶パネル２３４の他の側に接続された多数のゲートＴＣＰ２４６Ａ乃至２４６Ｃと、データＴＣＰ２４０のそれぞれに実装されたデータドライブＩＣ２４２と、ゲートＴＣＰ２４６Ａ乃至２４６Ｃのそれぞれに実装されたゲートドライブＩＣ２４８Ａ乃至２４８Ｃと、ゲートドライブＩＣ２４８とデータドライブＩＣ２４２に供給される駆動電圧を生成する電源供給部２５０と、電源供給部２５０のゲートハイ電圧ＶＧＨの出力ラインに直列に接続される制限抵抗Ｒｓを具備する。
【０１３１】
　液晶パネル２３４は、各種信号ラインとともに薄膜トランジスタアレイが形成された下部基板２３６と、カラーフィルターアレイが形成された上部基板２３８と、下部基板２３６と上部基板２３８との間に注入された液晶を含む。このような液晶パネル２３４は、ゲートライン２５６とデータライン（図示しない）の交差領域毎に形成された液晶セルにより画像表示領域２４１に画像を表示する。下部基板２３６の外郭領域には、ゲートドライブＩＣ２４８Ａ乃至２４８Ｃに供給されるゲート駆動信号を伝送するためのＬＯＧ型信号ライン群が位置するようになる。
【０１３２】
　データＴＣＰ２４０には、データドライブＩＣ２４２が実装され、そのデータＴＣＰ２４０はデータＰＣＢ２４４及び下部基板２３６と接続される。特に、一番目のデータＴＣＰ２４０は、下部基板２３６の上のＬＯＧ型信号ライン群にそれぞれ接続されるゲート駆動信号ライン群２５２をさらに具備する。このゲート駆動信号ライン群２５２は、データＰＣＢ２４４を経由して電源供給部２５０から供給されるゲート駆動信号をＬＯＧ型信号ライン群に供給するようになる。
【０１３３】
　電源供給部２５０は、入力電源を利用して液晶表示装置で要する共通電圧ＶＣＯＭ、ゲートハイ電圧ＶＧＨ、ゲートロー電圧ＶＧＬなどのような駆動電圧を生成するようになる。
【０１３４】
　データドライブＩＣ２４２は、デジタル信号である画素データ信号をアナログ信号である画素電圧信号に変換して液晶パネル２３４の上のデータラインに供給する。
【０１３５】
　ゲートＴＣＰ２４６には、ゲートドライブＩＣ２４８が実装され、そのゲートＴＣＰ２４６はゲートドライブＩＣ２４８と接続される出力パッドを通して下部基板２３６と接続される。
【０１３６】
　ゲートドライブＩＣ２４８Ａ乃至２４８Ｃは、入力制御信号に応答してスキャニング信号、すなわちゲートハイ電圧ＶＧＨをゲートライン２５６に順次供給する。また、ゲートドライブＩＣ２４８Ａ乃至２４８Ｃは、ゲートハイ電圧ＶＧＨが供給される期間を除いた残りの期間にゲートロー電圧ＶＧＬをゲートライン２５６に供給する。
【０１３７】
　ＬＯＧ型信号ライン群は、通常、ゲートハイ電圧ＶＧＨ、ゲートロー電圧ＶＧＬ、共通電圧ＶＣＯＭ、グラウンド電圧ＧＮＤ、電源電圧ＶＣＣのような電源供給部２５０から生成される駆動電圧信号を供給するＬＯＧ型電圧ラインと、ゲートスタートパルスＧＳＰ、ゲートシフトクロック信号ＧＳＣ、ゲートイネーブル信号ＧＯＥのようなタイミングコントローラーから生成されるゲート制御信号を供給するＬＯＧ型制御ラインで構成される。このようなＬＯＧ型信号ライン群は、ゲートライン２５６と同一のゲート金属で構成される。
【０１３８】
　このようなＬＯＧ型信号ライン群の中から、画質に相対的に大きい影響を及ぼすゲートハイ電圧ＶＧＨが供給されるＬＯＧ型電圧ラインＬＯＧＨの入力段または電源供給部２５０で生成されたゲートハイ電圧ＶＧＨをＬＯＧ型電圧ラインＬＯＧＨに供給するためのゲート駆動信号伝送ライン群２５２の入力段に相対的に大きい抵抗値を持つ制限抵抗Ｒｓを設置する。すなわち、制限抵抗Ｒｓは、ゲートＴＣＰ２４６Ａ、２４６Ｂ、２４６Ｃの間に形成される第１乃至第３ＬＯＧ型電圧ラインＬＯＧＨ１乃至ＬＯＧＨ３のライン抵抗Ａ、Ｂ、Ｃと直列に連結されて、ＬＯＧ型電圧ラインのライン抵抗（ａ、ｂ、ｃ）の合計（ａ＋ｂ＋ｃ）を無視することができるほどの大きい抵抗を持つようになる。例えば、制限抵抗Ｒｓは約２７０〜８３０Ω程度の抵抗値を持つようにする。
【０１３９】
　これは、ゲートハイ電圧ＶＧＨが不安定になる場合、各液晶セルのフィードスルー電圧ΔＶｐ特性が変わって、各液晶セルに充電される電圧がゆがめられるためである。
【０１４０】
　このように、ゲートハイ電圧ＶＧＨが供給されるＬＯＧ型電圧ラインＬＯＧＨまたはゲート駆動信号ライン群２５２の入力段に直列に設置される制限抵抗Ｒｓにより第１乃至第３ＬＯＧ型電圧ラインＬＯＧＨ１乃至ＬＯＧＨ３のライン抵抗Ａ、Ｂ、Ｃは無視されることで、ライン抵抗Ａ、Ｂ、Ｃによる各ゲートドライブＩＣ２４８Ａ、２４８Ｂ、２４８Ｃに供給されるゲートハイ電圧ＶＧＨの差が防止される。これにより、各ゲートドライブＩＣ２４８Ａ、２４８Ｂ、２４８Ｃを経由して同一なゲートハイ電圧ＶＧＨがゲートライン２５６に供給されることにより水平ラインブロックＡ、Ｂ、Ｃの間の輝度差は発生しないようになる。
【０１４１】
　一方、制限抵抗ＲｓによるゲートドライブＩＣ２４８毎のゲートハイ電圧ＶＧＨ差の防止効果は、図１２Ａ及び図１２Ｂのように、液晶パネルの画像表示部２４１をドットインバージョン方式で駆動しながら奇数番目のデータラインと偶数番目のデータラインにそれぞれ接続される液晶セルに同一なグレイのテストパターンを供給する場合、著しく示される。
【０１４２】
　これを詳しく説明すると、第ｎ−１番目のゲートラインＧＬｎ−１のゲートハイ電圧ＶＧＨが供給されれば、図１３及び図１４に示すように、第ｍ−１番目のデータラインＤＬｍ−１と接続される液晶セルには３１グレイの正極性電圧６Ｖが供給されて、第ｍ番目のデータラインＤＬｍと接続される液晶セルには３１グレイの負極性電圧２Ｖが供給される。引き継いて、第ｎ−１番目のゲートラインＧＬｎ−１にはゲートロー電圧ＶＧＬが供給されると共に、第ｎ番目のゲートラインＧＬｎにはゲートハイ電圧ＶＧＨが供給されることにより、第ｍ−１番目のデータラインＤＬｍ−１と接続される液晶セルには３１グレイの負極性電圧２Ｖが供給されて、第ｍ番目のデータラインＤＬｍと接続される液晶セルには３１グレイの正極性電圧６Ｖが供給される。
【０１４３】
　このように、隣接した液晶セルに充電された正極性電圧と負極性電圧との間の電圧差は同一で、これらの間の電圧差が互いに相殺されるので、前段のゲートラインの液晶セルに充電された電圧が次の段のゲートラインの液晶セルの方にスイングされることが防止される。反面に、ゲートドライブＩＣ２４８毎、ゲートラインに供給されるゲートハイ電圧ＶＧＨは第１乃至第３ＬＯＧ型電圧ラインＬＯＧＨ１乃至ＬＯＧＨ３のライン抵抗Ａ、Ｂ、Ｃにより不安定になる。すなわち、第１ゲートドライブＩＣ２４８Ａから第３ゲートドライブＩＣ２４８Ｃの方へ進行するほどＬＯＧ型電圧ラインＬＯＧＨのライン抵抗が加算されることにより、水平ラインブロックＡ、Ｂ、Ｃに供給される第１乃至第３ゲートハイ電圧はＶＧＨ１＞ＶＧＨ２＞ＶＧＨ３のような関係を持つようになる。
【０１４４】
　これにより、ゲートハイ電圧ＶＧＨが供給されるＬＯＧ型電圧ラインＬＯＧＨ又はゲート駆動信号ライン群２５２に直列接続される制限抵抗ＲｓによりＬＯＧ型電圧ラインＬＯＧＨのライン抵抗Ａ、Ｂ、Ｃが無視されるようにする。このため、各ゲートドライブＩＣ２４８Ａ乃至２４８Ｃを経由して同一なゲートハイ電圧ＶＧＨがゲートライン２５６に供給されることにより水平ラインブロックＡ、Ｂ、Ｃの間の輝度差は防止される。
【０１４５】
第４の実施の形態
　図１５は、本発明の第の４実施の形態による液晶表示装置を示す図面であり、ＬＯＧ型信号ライン群の中でゲートハイ電圧及びゲートロー電圧をそれぞれ伝送する第１及び第２ＬＯＧ型電圧ラインの入力段に第１及び第２制限抵抗が設置された場合を図示したものである。
【０１４６】
　図１５を参照すると、本発明の第の４実施の形態による液晶表示装置は、液晶パネル３３４と、液晶パネル３３４とデータＰＣＢ３４４との間に接続された多数個のデータＴＣＰ３４０と、液晶パネル３３４の他の側に接続された多数個のゲートＴＣＰ３４６Ａ乃至３４６Ｃと、データＴＣＰ３４０のそれぞれに実装されたデータドライブＩＣ３４２と、ゲートＴＣＰ３４６Ａ乃至３４６Ｃのそれぞれに実装されたゲートドライブＩＣ３４８Ａ乃至３４８Ｃと、多数の駆動電圧を供給する電源供給部３５０と、電源供給部３５０のゲートロー電圧ＶＧＬの出力ラインとゲートハイ電圧ＶＧＨの出力ラインのそれぞれに直列に接続される第１及び第２制限抵抗Ｒｓ１、Ｒｓ２を具備する。
【０１４７】
　液晶パネル３３４は、各種信号ラインとともに薄膜トランジスタアレイが形成された下部基板３３６と、カラーフィルターアレイが形成された上部基板３３８と、下部基板３３６と上部基板３３８との間に注入された液晶を含む。このような液晶パネル３３４は、ゲートライン３５６とデータライン（図示しない）の交差領域毎に形成された液晶セルにより画像表示領域３４１に画像を表示する。下部基板３３６の外郭領域には、ゲートドライブＩＣ３４８Ａ乃至３４８Ｃに供給されるゲート駆動信号を伝達するためのＬＯＧ型信号ラインＬＯＧＨ、ＬＯＧＬが位置するようになる。
【０１４８】
　データＴＣＰ３４０には、データドライブＩＣ３４２が実装され、そのデータＴＣＰ３４０は、データＰＣＢ３４４及び下部基板３３６と接続される。特に、一番目のデータＴＣＰ３４０は、下部基板３３６の上のＬＯＧ型信号ラインＬＯＧＨ、ＬＯＧＬにそれぞれ接続されるゲート駆動信号伝送ライン群３５２ａ、３５２ｂをさらに具備する。このゲート駆動信号伝送ライン群３５２ａ、３５２ｂは、データＰＣＢ３４４を経由して電源供給部３５０から供給されるゲート駆動信号をＬＯＧ型信号ライン群ＬＯＧＨ、ＬＯＧＬに供給するようになる。
【０１４９】
　電源供給部３５０は、入力電源を利用して液晶表示装置で要する共通電圧ＶＣＯＭ、ゲートハイ電圧ＶＧＨ、ゲートロー電圧ＶＧＬなどのような駆動電圧を生成するようになる。
【０１５０】
　データドライブＩＣ３４２は、デジタル信号である画素データ信号をアナログ信号である画素電圧信号に変換して液晶パネル３３４の上のデータラインに供給する。
【０１５１】
　ゲートＴＣＰ３４６には、ゲートドライブＩＣ３４８が実装され、そのゲートＴＣＰ３４６はゲートドライブＩＣ３４８と接続される出力パッドを通して下部基板３３６と接続される。
【０１５２】
　ゲートドライブＩＣ３４８Ａ乃至３４８Ｃは、入力制御信号に応答してスキャニング信号、すなわちゲートハイ電圧信号ＶＧＨをゲートライン３５６に順次供給する。また、ゲートドライブＩＣ３４８Ａ乃至３４８Ｃはゲートハイ電圧ＶＧＨが供給される期間を除いた残りの期間にゲートロー電圧ＶＧＬをゲートライン３５６に供給する。
【０１５３】
　ＬＯＧ型信号ライン群は、通常、ゲートハイ電圧信号ＶＧＨ、ゲートロー電圧信号ＶＧＬ、共通電圧信号ＶＣＯＭ、グラウンド電圧信号ＧＮＤ、電源電圧信号ＶＣＣのような電源供給部３５０から生成される駆動電圧信号を供給するＬＯＧ型電圧ラインと、ゲートスタートパルスＧＳＰ、ゲートシフトクロック信号ＧＳＣ、ゲートイネーブル信号ＧＯＥのようなタイミングコントローラーから生成されるゲート制御信号を供給するＬＯＧ型制御ラインで構成される。このようなＬＯＧ型信号ライン群はゲートライン３５６と同一のゲート金属で構成される。
【０１５４】
　このようなＬＯＧ型信号ライン群の中で、画質に相対的に大きい影響を及ぼすゲートハイ電圧ＶＧＨ及びゲートロー電圧ＶＧＬがそれぞれ供給されるＬＯＧ型電圧ラインＬＯＧＨ、ＬＯＧＬの入力段または第１及び第２ゲート駆動信号ライン群３５２ａ、３５２ｂの入力段に相対的に大きい抵抗値を持つ第１及び第２制限抵抗Ｒｓ１、Ｒｓ２を設置する。すなわち、第１及び第２の制限抵抗Ｒｓ１、Ｒｓ２は、ゲートＴＣＰ３４６Ａ、３４６Ｂ、３４６Ｃの間に形成される第１乃至第３ＬＯＧ型電圧ラインのライン抵抗Ａ、Ｂ、Ｃと直列に連結されて、ＬＯＧ型電圧ラインのライン抵抗（ａ、ｂ、ｃ）の合計（ａ＋ｂ＋ｃ）を無視することができるほどの大きい抵抗を持つようになる。例えば、第１制限抵抗Ｒｓ１は約２７０〜８３０Ω程度の抵抗値を持つようにし、第２制限抵抗Ｒｓ２は約４３０〜７６０Ω程度の抵抗値を持つようにする。
【０１５５】
　第１制限抵抗Ｒｓ１は、ゲートハイ電圧ＶＧＨが不安定になるのを防止して、各液晶セルのフィードスルー電圧ΔＶｐ特性が変わり、各液晶セルに充電される電圧がゆがめられるのを防止するようになる。第２制限抵抗Ｒｓ２は、液晶セルに充電された電圧を安定に維持するストレーキャパシタに供給されるゲートロー電圧ＶＧＬが不安定になるのを防止することにより、液晶セルに充電される電圧がゆがめられるのを防止するようになる。
【０１５６】
　これにより、ゲートハイ電圧ＶＧＨが供給されるＬＯＧ型電圧ラインＬＯＧＨに直列接続される第１制限抵抗Ｒｓ１と、ゲートロー電圧ＶＧＬが供給されるＬＯＧ型電圧ラインＬＯＧＬに直列接続される第２制限抵抗Ｒｓ２は、各ＬＯＧ型電圧ラインＬＯＧＨ、ＬＯＧＬのライン抵抗ａ、ｂ、ｃ、ｄは無視されるようにすることで、各ゲートドライブＩＣ３４８Ａ乃至３４８Ｃを経由して同一なゲート電圧ＶＧがゲートライン３５６に供給されることにより、水平ラインブロックＡ、Ｂ、Ｃの間の輝度差は防止される。
【０１５７】
　上述したように、本発明に係る液晶表示装置及びその製造方法並びにその駆動方法は、ＬＯＧ型信号ラインの入力段にＬＯＧ型信号ライン群のライン抵抗の合計より相対的に大きい制限抵抗を形成するようになる。これにより、ＬＯＧ型信号ライン群のライン抵抗は制限抵抗に比べて無視することができるほどに小くなり、ゲートドライブ集積回路毎、ゲート駆動信号の電圧差を減らすことができ、ライン抵抗の差による水平ラインブロック間の輝度差を防止することができる。
【０１５８】
　以上説明した内容を通して当業者であれば本発明の技術思想を一脱しない範囲内で多様な変更及び修正が可能である。
【図面の簡単な説明】
【０１５９】
【図１】従来のラインオンガラス型液晶表示装置を図示した平図面。
【図２】図１に図示されたラインオンガラス型信号ライン群のライン抵抗による水平ラインブロック間の分離現象を示す図面。
【図３】本発明の第１の実施の形態に係るラインオンガラス型液晶表示装置を示す平図面。
【図４】図３に図示された、制限抵抗が液晶パネルの下部基板の上に形成されたラインオンガラス型液晶表示装置を示す平図面。
【図５】図３及び図４に図示されたライン抵抗と制限抵抗との間の連結関係を示した図面。
【図６】本発明の第２の実施の形態に係るラインオンガラス型液晶表示装置を示す平図面。
【図７Ａ】奇数フレームと偶数フレーム毎に６１グレイと０グレイを利用したテストパターンを示した図面。
【図７Ｂ】奇数フレームと偶数フレーム毎に６１グレイと０グレイを利用したテストパターンを示した図面。
【図８】隣接した４個の液晶セルに供給されるデータ電圧を示した図面。
【図９】図８に図示された隣接した４個の液晶セルに供給されるデータ電圧の変化を示した図面。
【図１０】データラインとゲートラインとの間の寄生キャパシタを示した等価回路図。
【図１１】本発明の第３の実施の形態に係るラインオンガラス型液晶表示装置を示す平図面。
【図１２Ａ】奇数フレームと偶数フレーム毎に６１グレイと０グレイを利用したテストパターンを示した図面。
【図１２Ｂ】奇数フレームと偶数フレーム毎に６１グレイと０グレイを利用したテストパターンを示した図面。
【図１３】隣接した４個の液晶セルに供給されるデータ電圧を示した図面。
【図１４】図１３に図示された隣接した４個の液晶セルに供給されるデータ電圧の変化を示した図面。
【図１５】本発明の第４の実施の形態に係るラインオンガラス型液晶表示装置を示す平図面。
【符号の説明】
【０１６０】
　１、３４，１３４，２３４，３３４： 液晶パネル、２，３６，１３６，２３６，３３６： 下部基板、４，３８，１３８，２３８，３３８： 上部基板、８、４０，１４０，２４０，３４０： データＴＣＰ、１８：　データライン、２０，５６，１５６，２５６，３５６：　ゲートライン、２１，４１，１４１，２４１，３４１：　画像表示部、２２，５２：　ゲート駆動信号伝送ライン群、２４：　データＴＣＰ入力パッド、２５：　データＴＣＰ出力パッド、２６：　ＬＯＧ型信号ライン群、３０：　ゲートＴＣＰ出力パッド、５０，１５０，２６０，３６０：　電源供給部、６０，１６０，２６０，３６０：　タイミングコントローラー。
【図１】
2004133474.tif 000006
【図２】
2004133474.tif 000007
【図３】
2004133474.tif 000008
【図４】
2004133474.tif 000009
【図５】
2004133474.tif 000010
【図６】
2004133474.tif 000011
【図７Ａ】
2004133474.tif 000012
【図７Ｂ】
2004133474.tif 000013
【図８】
2004133474.tif 000014
【図９】
2004133474.tif 000015
【図１０】
2004133474.tif 000016
【図１１】
2004133474.tif 000017
【図１２Ａ】
2004133474.tif 000018
【図１２Ｂ】
2004133474.tif 000019
【図１３】
2004133474.tif 000020
【図１４】
2004133474.tif 000021
【図１５】
2004133474.tif 000022